(57)【要約】  【課題】  素早い高さ調整機能を保持しつつ、構造をシンプルなものとして製造コストを極力抑えることのできる床束を提供する。  【解決手段】  ベース板１に立設した螺杆３に、上端に大引受板５を固着した管体４を伸縮自在に遊嵌する。また、前記螺杆３の上端部には揺動防止用の摺動体８を固着すると共に、摺動体８の外周には管体４の内壁面に当接させてその摩擦力によって螺杆３と管体４との滑動を制動するゴム製のＯリング１１を周設する。また、螺杆３の管体４より下位には管体４を支持する支持用ナット１２を螺着する。このように構成したので、床束の高さ調整を容易かつ素早く行えると共に、構造がごくシンプルで製造コストを安価に抑えることができる。【選択図】  図１
2006328727.tif 000002
【特許請求の範囲】
【請求項１】
ベース板に立設した螺杆に、上端に大引受板を固着した管体を伸縮自在に遊嵌し、前記螺杆の上端部外周には前記管体の内壁面に当接させてその摩擦力によって螺杆と管体との滑動を制動する制動部材を周設すると共に、前記螺杆の管体より下位には管体を支持する支持用ナットを螺着したことを特徴とする床束。
【請求項２】
前記制動部材は、ゴム製のＯリング、または鋼製のリング状スプリングのいずれかであることを特徴とする請求項１記載の床束。
【発明の詳細な説明】
【技術分野】
【０００１】
本発明は、住宅などの建築物の床を支えるために、基礎である束石に立設して大引を支持する鋼製の床束に関する。
【背景技術】
【０００２】
従来、床束として木材製のものが一般に使用されているが、木材製の床束は床高さ寸法通りに切断していく必要があって甚だ面倒であり、また微調整も困難であるために、最近では、螺子によって高さ調節を自在とした鋼製の床束が採用されるようになってきている。
【０００３】
前記鋼製の床束は、例えば図９に示すように、ベース板１０１上に螺子溝が螺刻された螺杆１０２を立設してなるベース部１０３と、前記螺杆１０２と逆方向に螺子溝が刻設された螺杆１０４の上端に略Ｌ字形状の大引受板１０５を固着してなる支持部１０６と、該支持部１０６と前記ベース部１０３とを連結する連結部１０７とから成り、連結部１０７を回転させることによって床束の高さを自在に調節できるようにしたものが一般的である。
【０００４】
ところが、上記従来の床束では、床束の高さ調整量が大きいときには連結部１０７を何回も回転させる必要があり、全ての床束に対してこのような作業を繰り返し行うことは非常に煩わしいだけでなく、時間もかかって作業能率もあまり良くない。そこで、本出願人はこの問題を解決可能な床束を既に出願している（特許文献１）。
【０００５】
図１０及び図１１は、上記特許文献１の床束を説明する図であって、ベース板２０１上に螺子溝を螺刻した螺杆２０２を立設し、上端に大引受板２０３を、下端にバネ受部２０４を固着した管体２０５を前記螺杆２０２へ伸縮自在に遊嵌している。また、対向側面に操作部２０６ａと係止部２０６ｂとをそれぞれ形成した舌付き座金よりなる係止片２０６を、前記管体２０５内の螺杆２０２に遊嵌し、一端側の係止部２０６ｂを管体２０５側面に穿設した透孔２０７に係止させる一方、他端側の操作部２０６ａを管体２０５側面に穿設した縦長孔２０８に挿入して管体２０５外へと突出させている。
【０００６】
また、管体２０５内の下部にはバネ体２０９を内装しており、このバネ体２０９の復元力によって前記係止片２０６を上方へと押圧付勢させ、図１０に示すように、係止部２０６ｂを支点として傾斜させることにより、係止片２０６の内周縁を螺杆２０２の螺子溝に噛み込ませて管体２０５の下降を阻止するようにしている一方、バネ体２０９の復元力に抗して係止片２０６の操作部２０６ａを押し下げて係止片２０６を略水平に回動させれば、係止片２０６の内周縁と螺杆２０２の螺子溝との噛み込みを解除できる構成としている。
【０００７】
２１０は管体２０５支持用のナットであって、管体２０５よりも下位の螺杆２０２に螺着しており、その上面を管体２０５底面のバネ受部２０４に当接させて管体２０５を支持すると共に、スパナなどで締め付けることによって管体２０５を少しずつ押し上げて床束高さの微調整を行えるようにしている。２１１は管体２０５の下端部に回動自在に備えた掛け金具であって、図１１に示すように、高さ調整を終えた支持用ナット２１０の下位側へ回動させ、その先端部を支持用ナット２１０の底面に引っ掛け、例えば木製の大引が乾燥などによって収縮することで上向きへの湾曲を生じた際に、管体２０５が一緒に上向きに持ち上げられてしまうのを防ぐように図っている。
【０００８】
そして、この床束にて床下の大引を支持するときは、先ず、床束の大引受板２０３を大引にあてがい、双方を釘などで固定する。次に、係止片２０６の操作部２０６ａを押し下げて管体２０５と螺杆２０２とを摺動自在にし、床束を素早く適宜長さに伸縮調整しながらベース板２０１を束石などの基礎上に据えて釘などで固定する。このとき、床束には大引からの荷重が加わるが、係止片２０６の内周縁が螺杆２０２の螺子溝に噛み込むため下降することはない。つづいて、大引の最終の高さ調整を行うために、支持用ナット２１０を回転させて管体２０５下端のバネ受部２０４に当接させた後、スパナなどで締め付けて管体２０５を少しずつ押し上げていって高さを微調整する。そして、この高さ調整が終われば、最後に掛け金具２１１を掛け止めて設置を完了するといったものである。
【特許文献１】特開２００４−２７０２３９号公報
【発明の開示】
【発明が解決しようとする課題】
【０００９】
しかしながら、上記の床束は、係止片２０６の操作によって素早く高さ調整することができて作業能率面では好適であるものの、その構造、特に係止片２０６の取り付け構造などはやや複雑であり、製造コスト面から見ると改良の余地があるのではないかと考えた。
【００１０】
本発明は上記の点に鑑み、素早い高さ調整機能を保持しつつ、構造をシンプルなものとして製造コストを極力抑えることのできる床束を提供することを課題とする。
【課題を解決するための手段】
【００１１】
上記の課題を解決するために、請求項１記載の床束は、ベース板に立設した螺杆に、上端に大引受板を固着した管体を伸縮自在に遊嵌し、前記螺杆の上端部外周には前記管体の内壁面に当接させてその摩擦力によって螺杆と管体との滑動を制動する制動部材を周設すると共に、前記螺杆の管体より下位には管体を支持する支持用ナットを螺着したことを特徴としている。
【００１２】
また、請求項２記載の床束は、ゴム製のＯリング、または鋼製のリング状スプリングのいずれかであることを特徴としている。
【発明の効果】
【００１３】
以上のように請求項１記載の床束によれば、ベース板に立設した螺杆に、上端に大引受板を固着した管体を伸縮自在に遊嵌し、前記螺杆の上端部外周には前記管体の内壁面に当接させてその摩擦力によって螺杆と管体との滑動を制動する制動部材を周設すると共に、前記螺杆の管体より下位には管体を支持する支持用ナットを螺着したので、少しの力で床束を自在に伸縮操作することができて床束の素早い高さ調節を可能としつつ、その構造はごくシンプルとして製造コストを安価に抑えることができる。
【００１４】
また、請求項２記載の床束によれば、前記制動部材は、ゴム製のＯリング、または鋼製のリング状スプリングのいずれかであるので、制動部材そのもののコストも低廉に抑え、製造コストをより安価に抑えることができる。
【発明を実施するための最良の形態】
【００１５】
本発明の床束にあっては、ベース板に立設した螺杆に対し、上端に大引受板を固着した管体を伸縮自在に遊嵌する。また、前記螺杆の上端部の外周には制動部材である、例えばゴム製のＯリングを周設し、このＯリングの周縁部が螺杆に遊嵌した管体の内壁面に対してやや圧密状態にて当接するようにしており、これによって生じる摩擦力にて螺杆と管体との滑動を制動して床束を現状の長さにとどめるように図っている一方、作業者が床束の長手方向に軽く力を加えればＯリングによる摩擦力に抗して床束を自在に伸縮させることができ、床束の素早い高さ調整を可能とした構成としている。
【００１６】
そして、この床束にて大引を支持させる場合には、先ず、管体上端の大引受板を大引に釘などで固定する。次いで、この床束をＯリングとの摩擦力に抗しながら素早く伸縮操作して適宜長さとした後、この床束のベース板を束石などの基礎上に据えて釘などで固定していく。このとき、床束はＯリングによる摩擦力によって調整した長さに保たれるため、作業中に不用意に伸縮してしまうようなおそれはなく、好適に作業を進めることができる。続いて、支持用ナットを回転させながら上昇させて管体下面に当接させ、スパナなどで締め付けを行うことで管体を少しづつ押し上げて大引の最終的な高さを微調整する。
【００１７】
このように、上記床束は、少しの力で自在に伸縮させることができ、公知の螺子式の床束などよりも素早い高さ調節を可能としつつ、その構造は至ってシンプルで、かつ部品コストも低廉とし、製造コストを安価に抑えることができる。
【実施例】
【００１８】
以下、本発明の実施例を図１乃至図８に基づいて説明する。
【００１９】
図中の１は床束のベース板であって、該ベース板１には適宜数の釘孔２を穿設すると共に、その中央部には所定長さの螺杆３を立設している。
【００２０】
４は上端に略Ｌ字形状をした大引受板５を、下端に螺杆３の外径より若干大径の丸孔６を穿設した底板７を固着した管体であって、該管体４の丸孔６に螺杆３を挿入して伸縮自在としている。また、螺杆３の先端には管体４内を摺動して揺動を防止するための略円柱形状の摺動体８を固着している一方、螺杆３には管体４の引き上げ高さを規制するための略円筒形状のストッパー９を装着している。また、前記大引受板５には適宜数の釘孔１０を穿設している。
【００２１】
前記摺動体８の外周には、制動部材であるゴム製のＯリング１１を周設しており、該Ｏリング１１の周縁部が前記管体４の内壁面に対してやや圧密状態となるように当接していて、これによって生じる摩擦力にて螺杆３と管体４との滑動を制動し、床束の長さが不用意に変わらないように図っている一方、作業者などが螺杆３と管体４とを持って長手方向へ軽く力を加えれば、Ｏリング１１による摩擦力に容易に抗して床束を自在に伸縮させることができ、床束の極めて迅速な高さ調整を可能としている。
【００２２】
なお、本実施例においては、制動部材としてゴム製のＯリングを採用しているが、必ずしもこれに限定するものではなく、例えば鋼製のリング状スプリングなども好適に採用することができ、要は一定の摩擦を生じて螺杆３と管体４との滑動を制動するような働きを発揮するものであればよい。
【００２３】
１２は螺杆３の管体４下位に螺着した支持用ナットであって、管体４底面の底板７に当接させて管体４を支持すると共に、スパナなどで締め付けることにより管体４を少しづつ押し上げて床束高さの微調整を行うものである。
【００２４】
１３は管体４の下端部にタッピン螺子１４にて回動自在に軸着した掛け金具であって、所定厚の鉄板を略Ｕ字形状に折り曲げ加工したものである。そして、図７及び図８に示すように、前記支持用ナット１２を管体４下端の底板７に当接させた状態で前記掛け金具１３を、図中の矢印で示すように、支持用ナット１２の下位側へ回動させ、掛け金具１３の先端部を支持用ナット１２の底面に引っ掛けさせて、例えば木製の大引が乾燥などによって収縮することで上向きへの湾曲を生じた際に、この大引に固定した床束の管体４が一緒に上向きに持ち上げられてしまうのを阻止できるようにしている。
【００２５】
また、前記掛け金具１３の先端部の中央部分には窪み部１５を設けており、図７及び図８に示すように、掛け金具１３を支持用ナット１２の底面に引っ掛ける際に、螺杆３を前記窪み部１５内に収めさせるようにして邪魔にならないように図っている。
【００２６】
なお、前記タッピン螺子１４から掛け金具１３の先端部内面までの長さと、タッピン螺子１４から支持用ナット１２の底面までの長さとをほぼ同じ長さに構成しており、掛け金具１３を図７の状態から図８の状態へ回動させる際にはハンマーなどで打ち込むことでようやく回動できるようにしている。したがって、掛け金具１３の支持用ナット１２底面への引っ掛け作業が完了すれば、底板７と支持用ナット１２とを隙間無く強固に密着させることができると共に、支持用ナット１２の緩みも完全に防止することができる。
【００２７】
しかして、上記床束により床下の大引を支持するときには、先ず、床束の大引受板５を大引にあてがい、釘孔９に釘を打ち込んで固定する。なお、この大引には複数個の床束が適宜間隔で取付けられる。そして、これら床束の螺杆３と管体４をそれぞれ手で持ち、螺杆３をＯリング１１による摩擦力に抗しながら引き下ろすようにして床束を適宜長さに伸縮調整し、床束のベース板１を束石などの基礎上に据えて接着剤で貼着した後、釘孔２に釘を打ち込んで固定する。このとき、螺杆３と管体４とは、Ｏリング１１による摩擦力によって不用意に伸縮することなく作業者が伸縮調整した長さに保たれるため、好適に作業を進めることができる。
【００２８】
次いで、大引の最終の高さ調整を行うために、支持用ナット１２を回転させて管体４下端の底板７に当接させ、支持用ナット１２をスパナ等で回動させて管体４を少しづつ押し上げて高さ調整を行う。そして、最終的な高さ調整が終わると、掛け金具１３を支持用ナット１２の下位方向へ回動させ、最後にハンマーなどで打ち込んで掛け金具１３の先端部を支持用ナット１２の底面に引っ掛け、管体４に上方向への引っ張り力が加わっても管体４が上昇したりしないように固定する。
【００２９】
このように、上記床束によれば、少しの力で自在に伸縮させることができ、これによって素早い高さ調整を可能としつつ、装置構造は至ってシンプルであるため、製造コストを極力安価に抑えることができる。また、螺杆３と管体４との制動部材としてゴム製のＯリングや鋼製のリング状スプリングなどを採用したので、部品コストも抑えることができ、より確実に製造コストを安価に抑えることができる。
【図面の簡単な説明】
【００３０】
【図１】本発明に係る床束の一部切り欠き正面図である。
【図２】図１の側面図である。
【図３】図１の背面図である。
【図４】図１のＡ−Ａ矢視断面図である。
【図５】図１の部分拡大図である。
【図６】図１の要部拡大図である。
【図７】掛け金具を支持用ナットに引っ掛ける前の状態を示す斜視図である。
【図８】図７の掛け金具を支持用ナットに引っ掛けた状態を示す図である。
【図９】従来の床束を示す正面図である。
【図１０】従来の別の床束を示す一部切り欠き正面図である。
【図１１】図１０の側面図である。
【符号の説明】
【００３１】
１…ベース板                      ３…螺杆
４…管体                          ５…大引受板
８…摺動体                      １１…ゴム製Ｏリング（制動部材）      １２…支持用ナット                １３…掛け金具
【図１】
2006328727.tif 000003
【図２】
2006328727.tif 000004
【図３】
2006328727.tif 000005
【図４】
2006328727.tif 000006
【図５】
2006328727.tif 000007
【図６】
2006328727.tif 000008
【図７】
2006328727.tif 000009
【図８】
2006328727.tif 000010
【図９】
2006328727.tif 000011
【図１０】
2006328727.tif 000012
【図１１】
2006328727.tif 000013